(57)【要約】【課題】本発明の課題は、表示パネルの角度を容易に調節することができる電子装置を提供することである。【解決手段】本発明に係る電子装置は、表示パネルを有する本体部及び前記本体部の背面に装着された支持部品を備える。前記本体部の背面には、スライド溝が形成されており、前記支持部品の両端が、前記スライド溝の中でスライドされて第一位置まで移動した場合、前記支持部品は第一湾曲状態になり、前記本体部は前記支持部品により支持されて第一傾斜角度を呈し、前記支持部品の両端が、前記スライド溝の中でスライドされて第二位置まで移動した場合、前記支持部品は前記第一湾曲状態と異なる第二湾曲状態になり、前記本体部は前記支持部品により支持されて第二傾斜角度を呈する。【選択図】図２
2015019363.tif 000002
【特許請求の範囲】
【請求項１】
表示パネルを有する本体部及び前記本体部の背面に装着された支持部品を備える電子装置であって、
前記本体部の背面には、スライド溝が形成されており、前記支持部品の両端は、前記スライド溝内にスライド可能に装着され、前記支持部品は、湾曲されていない初期状態にある時、前記スライド溝内に収容され、
前記支持部品の両端は、前記スライド溝の中でスライドされて第一位置まで移動した場合、前記支持部品は第一湾曲状態になり、前記本体部は前記支持部品により支持されて第一傾斜角度を呈し、
前記支持部品の両端は、前記スライド溝の中でスライドされて第二位置まで移動した場合、前記支持部品は前記第一湾曲状態と異なる第二湾曲状態になり、前記本体部は前記支持部品により支持されて第二傾斜角度を呈することを特徴とする電子装置。
【請求項２】
前記支持部品の各末端には、前記支持部品の両側へそれぞれ突出している突出ピンが設けられ、各突出ピンは、前記スライド溝の内部に回転可能に装着され、前記支持部品の両端が互いに近づく又は互いに離れる方向に沿って前記スライド溝の中でスライドされる時に、前記支持部品の各末端は、前記本体部に対して回転することを特徴とする請求項１に記載の電子装置。
【請求項３】
前記スライド溝の１対の長辺には、前記支持部品の両端の突出ピンが前記本体部の背面に垂直する方向に沿って前記スライド溝から離脱することを防止するための止め部品がそれぞれ形成されていることを特徴とする請求項２に記載の電子装置。
【請求項４】
前記スライド溝は、前記本体部の１つの長辺に近接して、且つ、当該長辺に対して平行に設けられており、前記スライド溝の長さは、前記本体部の長さより短いことを特徴とする請求項３に記載の電子装置。
【請求項５】
前記支持部品が湾曲されていない初期状態にある場合、前記支持部品の長さは前記スライド溝の長さに相当し、且つ前記支持部品の幅は前記スライド溝の幅に相当することを特徴とする請求項４に記載の電子装置。
【請求項６】
前記支持部品は、粗雑な表面を有し、前記支持部品とユーザの手との間で大きな摩擦力を生成することができることを特徴とする請求項１に記載の電子装置。
【請求項７】
前記支持部品の両端が前記第一位置にある場合、前記支持部品が前記本体部の後方へ突出する最大距離を第一距離とし、前記支持部品の両端が前記第二位置にある場合、前記支持部品が前記本体部の後方へ突出する最大距離を第二距離とし、前記第二距離は、前記第一距離より大きいことを特徴とする請求項１に記載の電子装置。
【請求項８】
前記支持部品の両端が前記第一位置にある場合、前記本体部の背面と前記電子装置を載置する平面との間の夾角は第一角度であり、前記支持部品の両端が前記第二位置にある場合、前記本体部の背面と前記電子装置を載置する平面との間の夾角は第二角度であり、前記第二角度は、前記第一角度より大きいことを特徴とする請求項７に記載の電子装置。
【請求項９】
前記支持部品の両端が前記第一位置又は前記第二位置にある場合、前記支持部品の中心軸は、前記スライド溝の中心点を通過することを特徴とする請求項１に記載の電子装置。
【請求項１０】
前記スライド溝の長さ方向は、前記本体部の幅方向に対して平行であることを特徴とする請求項１に記載の電子装置。
【発明の詳細な説明】
【技術分野】
【０００１】
本発明は、電子装置に関し、特に支持機構を備える電子装置に関するものである。
【背景技術】
【０００２】
従来の電子装置（例えば、タブレット型パソコン）は、ユーザが表示パネルを容易に見ることができるよう、通常、専用の保護ケース又は保護袋を所定の形状及び角度に折り畳むことによって、電子装置の後側を支持させることができ、または、電子装置のバックカバーに設けられた支持アーム或いは支持脚等を利用して、電子装置を所定の角度に傾斜して支持させることができる。
【０００３】
しかし、現在の電子装置の支持機構は、電子装置とデスクの上面或いは他の積載面との間の角度を調節することができない、または、電子装置とデスクの上面或いは他の積載面との間の角度を調節する際非常に不便である等の欠点がある。
【発明の概要】
【発明が解決しようとする課題】
【０００４】
以上の問題点に鑑みて、本発明は、表示パネルの角度を容易に調節することができる電子装置を提供することを目的とする。
【課題を解決するための手段】
【０００５】
上記の目的を達成するために、本発明に係る電子装置は、表示パネルを有する本体部及び前記本体部の背面に装着された支持部品を備える。前記本体部の背面には、スライド溝が形成されており、前記支持部品の両端は、前記スライド溝内にスライド可能に装着され、前記支持部品は、湾曲されていない初期状態にある時に前記スライド溝内に収容され、前記支持部品の両端が、前記スライド溝の中でスライドされて第一位置まで移動した場合、前記支持部品は第一湾曲状態になり、前記本体部は前記支持部品により支持されて第一傾斜角度を呈し、前記支持部品の両端が、前記スライド溝の中でスライドされて第二位置まで移動した場合、前記支持部品は前記第一湾曲状態と異なる第二湾曲状態になり、前記本体部は前記支持部品により支持されて第二傾斜角度を呈する。
【発明の効果】
【０００６】
従来の技術と比較して、本発明に係る電子装置は、本体部と、前記本体部の背面又は保護ケースに形成されたスライド溝と、前記スライド溝内でスライド可能に装着されるフレキシブルな支持部品と、を含む。前記支持部品の両端が前記スライド溝の中で異なる位置にスライドされると、湾曲程度も異なり、電子装置の本体部を支持して、電子装置を異なる角度に傾斜させることができる。これにより、本発明の電子装置は、ユーザの必要に応じて、表示パネルの角度を容易に調節することができる。
【図面の簡単な説明】
【０００７】
【図１】本発明の第一実施形態に係る電子装置の背面を示す図であり、支持部品は収容されている状態にある。
【図２】本発明の第一実施形態に係る電子装置の背面を示す図であり、支持部品は第一湾曲状態にある。
【図３】本発明の第一実施形態に係る電子装置の背面を示す図であり、支持部品は第二湾曲状態にある。
【図４】図１に示した支持部品及びスライド溝の構造図である。
【図５】図２に示した電子装置がデスクの上面に設置された際の状態を示す側面図である。
【図６】図３に示した電子装置がデスクの上面に設置された際の状態を示す側面図である。
【図７】本発明の第一実施形態に係る電子装置の背面を示す図であり、支持部品はスライド溝の一端まで移動している。
【図８】本発明の第二実施形態に係る電子装置の背面を示す図である。
【発明を実施するための形態】
【０００８】
図１〜図３に示すように、本発明において、電子装置１０は、本体部２０及び本体部２０の背面に装着された支持部品３０を備える。本体部２０の正面には、表示パネルが装着されている。 
【０００９】
具体的には、第一実施形態において、本体部２０の背面には、支持部品３０を装着するためのスライド溝２２が設けられている。本体部２０の全体は、矩形を呈する。スライド溝２２は、本体部２０の１つの長辺に近接して設けられており、さらに、本体部２０の前記長辺に対して平行に設けられている。スライド溝２２の長さは、本体部２０の長さよりやや短い。支持部品３０が湾曲されていない初期状態にある場合、支持部品３０の長さはスライド溝２２の長さに相当し、支持部品３０の幅はスライド溝２２の幅に相当する。
【００１０】
図４に示すように、支持部品３０の両端には、支持部品３０の２つの長辺からそれぞれ外側へ突出している突出ピン３２がそれぞれ設けられている。突出ピン３２は、スライド溝２２内に装着される。突出ピン３２によって、支持部品３０の両端は、スライド溝２２の中で回転可能に装着され、且つスライド溝２２内でスライドすることができる。スライド溝２２の上下両側には、止め部品２４がそれぞれ設けられている。２つの止め部品２４によって、支持部品３０の両端の突出ピン３２はスライド溝２２から離脱しない。
【００１１】
支持部品３０は、粗雑な表面を有するため、支持部品３０とユーザの手との間で大きな摩擦力を生成することができる。これにより、ユーザはスライド溝２２から支持部品３０を容易に突出させることができる。また、支持部品３０は、電子装置の本体部２０を支持する時、デスクの上面等において容易に移動しない。
【００１２】
支持部品３０を電子装置１０に組み立てる場合、支持部品３０の両端の突出ピン３２をそれぞれスライド溝２２内に収容させ、且つスライド溝２２の上下縁に位置する止め部品２４の後側に係合させる。これにより、支持部品３０は、本体部２０の背面に対して垂直の方向に沿って、スライド溝２２から離脱しない。また、各突出ピン３２は、スライド溝２２内で回転しながら往復スライドすることができる。突出ピン３２のスライド方向は、突出ピン３２の長軸方向に対して垂直である。
【００１３】
支持部品３０が使用されていない場合、つまり支持部品３０が収納位置（図１を参照）にある場合、支持部品３０は平らな直線状態にあり、スライド溝２２内に完全に収容されている。この時、支持部品３０は、本体部２０の背面と同一平面上に位置し、電子装置の外観に影響を与えない。これにより、電子装置１０をデスクの上面等の積載面に平置きすることができる。
【００１４】
支持部品３０を使用する場合、支持部品３０の両端を互いに近づくようにスライドさせて、支持部品３０の全体を、本体部２０の背面から離れる方向へ突出するように湾曲して変形させる。
【００１５】
図２及び図５に示すように、支持部品３０の両端を互いに近づくように第一位置まで移動させた時、支持部品３０は第一湾曲状態にあり、支持部品３０の両端は、同じ外力を受けているため、スライド溝２２内で同じ距離移動する。この時、電子装置の本体部２０は、支持部品３０により支持されて、デスク上面４０において所定の角度で立っている。この時、本体部２０の背面とデスク上面４０との間の夾角は、第一角度である。支持部品３０が本体部２０の後側へ突出する最大距離を第一距離とする。
【００１６】
図３及び図６に示すように、支持部品３０の両端を互いに近づくように第二位置まで移動させた時、支持部品３０は第二湾曲状態にあり、支持部品３０の両端の間の距離は近くなり、支持部品３０の中心軸（対称線）は、スライド溝２２の中心点（対称点）を通過する。この時、支持部品３０が本体部２０の後側へ突出する最大距離を第二距離とする。前記第二距離は、前記第一距離より大きい。この時、電子装置の本体部２０は、支持部品３０により支持されて、デスク上面４０において所定の角度で立っている。この時、本体部２０の背面とデスク上面４０との間の夾角は、第二角度である。前記第一角度及び前記第二角度は、９０度より小さい。その上、前記第二角度は、前記第一角度より大きい。支持部品３０が前記第二湾曲状態にある場合、電子装置１０の本体部２０は、さらに９０度に近い角度で立つ。
【００１７】
図７に示すように、支持部品３０を図３のように第二湾曲状態にさせた後、支持部品３０をスライド溝２２の中心からずれた位置に移動させることもできる。この時、支持部品３０は、依然としてスタンドとして、電子装置１０の本体部２０を傾斜して、本体部２０を支持することができる。
【００１８】
図８に示すように、本発明の第二実施形態において、スライド溝２２は、縦方向に沿って電子装置１０の本体部２０の背面に設けられ、且つ本体部２０の背面における短手方向の中間部に位置している。即ち、スライド溝２２の１対の長辺は、本体部２０の１対の短辺に対して平行である。支持部品３０の両端は、スライド溝２２の中で縦方向に沿ってスライド可能である。また、支持部品３０が所定の程度まで湾曲されて変形されると、支持部品３０はスタンドとして電子装置１０の本体部２０を支持することができる。
【００１９】
また、他の変形例として、スライド溝２２及び支持部品３０により構成された支持機構を電子装置１０のハウジングに設置せず、電子装置１０の保護ケースに設置して、電子装置１０を支持してもよい。
【符号の説明】
【００２０】
１０  電子装置
２０  本体部
２２  スライド溝
２４  止め部品
３０  支持部品
３２  突出ピン
４０  デスク上面
【図１】
2015019363.tif 000003
【図２】
2015019363.tif 000004
【図３】
2015019363.tif 000005
【図４】
2015019363.tif 000006
【図５】
2015019363.tif 000007
【図６】
2015019363.tif 000008
【図７】
2015019363.tif 000009
【図８】
2015019363.tif 000010